(57)【要約】      （修正有）【課題】複雑なシステムや煩雑な入力操作を要することなく、小型で使いやすく、低コスト化に適した構造であり、各食品の食品情報や賞味期限に関する情報を簡単な方法で、且つ明確に消費者に報知することができる賞味期限管理器具を提供する。【解決手段】食品の賞味期限を管理する賞味期限管理器具１であり、管理対象となる食品又はその包装を把持するクリップ部２と、このクリップ部２と本体３とによって保持されて前記食品の賞味期限までの日数を報知する報知手段とを備え、本体３の側面にマグネット４をさらに有するとともに、クリップ部２にはマグネット４に吸着する磁性材料からなる磁性部を有する。【選択図】図１
0003206391.tif 000002
【実用新案登録請求の範囲】
【請求項１】
食品の賞味期限を管理する賞味期限管理器具であり、
管理対象となる食品又はその包装を把持する把持部と、
前記把持部によって保持され、前記食品の賞味期限までの日数又は賞味期限の到来を報知する報知手段と
を備えることを特徴とする賞味期限管理器具。
【請求項２】
前記把持部の側面に磁石をさらに有することを特徴とする請求項１に記載の賞味期限管理器具。
【請求項３】
前記磁石に吸着する磁性材料からなる磁性部をさらに有することを特徴とする請求項２に記載の賞味期限管理器具。
【請求項４】
前記報知手段は、
賞味期限を入力する入力インターフェースと、
前記入力インターフェースを介して入力された期限と現在時刻の差分、又はその期限の到来を出力する出力部と
を有し、前記出力部は、前記把持部によって前記管理対象を把持する位置と、反対の位置となるように配置されている
ことを特徴とする請求項１乃至３のいずれかに記載の賞味期限管理器具。
【請求項５】
前記磁石に吸着する磁性材料からなる磁性部をさらに有することを特徴とする請求項２乃至４のいずれかに記載の賞味期限管理器具。
【考案の詳細な説明】
【技術分野】
【０００１】
本考案は、食品の賞味期限を管理する賞味期限管理器具に関する。
【背景技術】
【０００２】
従前より、食品のパッケージや容器には食品名や内容物、賞味期限等が表示されているが、消費者は、食品を冷蔵庫に入れる前に、その食品に関する賞味期限などの情報を完全には記憶していないので、つい賞味期限を過ごしてしまうことが多かった。そのため、冷蔵庫に食品情報を入力し、賞味期限をディスプレイに表示して知らせる冷蔵庫や、バーコードから食品情報を読み込み、同様に期限を表示して知らせる冷蔵庫が提案されている（例えば特許文献１）。
【０００３】
この特許文献１に開示された冷蔵庫は、扉に取付けられた表示装置を備え、冷蔵庫内の収納物を表示するようになっている。この表示装置は、それぞれの部屋に収納された食品を表示する表示器と、表示器に接続された入力キーボードとから構成されている。そして、この特許文献１に開示された冷蔵庫では、入力キーボードによって入力された食品の賞味期限が接近すると、その食品名が表示されている表示器の項目欄が点滅又は点灯するようになっている。
【先行技術文献】
【特許文献】
【０００４】
【特許文献１】特開平１０−３１１６６５号公報
【考案の概要】
【考案が解決しようとする課題】
【０００５】
しかしながら、特許文献１に開示された冷蔵庫では、冷蔵庫内に食品を入れる前に、入力キーボードやバーコードを用いて、食品の食品名や賞味期限などの食品情報を逐一手入力するシステムであることから、入力キーボードやバーコード読み取り具を備えることから、その入力操作が煩雑であるとともに、構造が複雑になってしまい、利便性が劣るうえに製造コストが嵩んでしまうという問題があった。
【０００６】
そこで、本考案の課題は、複雑なシステムや煩雑な入力操作を要せず、小型で使いやすく、低コスト化に適した構造にするとともに、各食品の食品情報や賞味期限に関する情報を簡単な方法で、且つ明確に消費者に報知することができる食品管理用タグを提供することにある。
【課題を解決するための手段】
【０００７】
上記課題を解決するために本考案は、食品の賞味期限を管理する賞味期限管理器具であり、
管理対象となる食品又はその包装を把持する把持部と、
前記把持部によって保持され、前記食品の賞味期限までの日数又は賞味期限の到来を報知する報知手段と
を備えることを特徴とする。
【０００８】
このような考案によれば、把持部によって管理対象となる食品又はその包装を把持させて、管理対象に付着させる。把持部には賞味期限までの日数又は賞味期限の到来を報知する報知手段が保持されているため、付着された管理対象に関する賞味期限までの日数や賞味期限の到来を報知することができる。これより、管理対象の賞味期限を明確に報知することができる。把持部で、管理対象の包装の開口部などに固定することにより、開封済みの包装の開口部を閉止することができ、開口部から内容物が漏れたり、内容物が劣化するのを低減できる。なお、賞味期限までの日数としては、マイナス表示をする場合も含まれ、この場合には賞味期限を過ぎてからの日数を報知することができる。
【０００９】
上記考案では、前記把持部の側面に磁石をさらに有することが好ましい。この場合は、賞味期限管理器具を他の磁性体部材に吸着させることができ、冷蔵庫の内部の金属部分や、金属製の容器或いは蓋に固定することができ、賞味期限の管理のみならず食品の整理も容易に行うことができる。
【００１０】
上記考案では、前記磁石に吸着する磁性材料からなる磁性部をさらに有することが好ましい。この場合には、磁石と磁性部を吸着させることによって賞味期限管理器具同士を相互に連結することができ、冷蔵庫内の開封済み食品などをまとめられるなど、整理がより容易となる。
【００１１】
上記考案では、前記報知手段は、賞味期限を入力する入力インターフェースと、前記入力インターフェースを介して入力された期限と現在時刻の差分又は賞味期限の到来を出力する出力部とを有し、前記出力部は、前記把持部によって前記管理対象を把持する位置と、反対の位置となるように配置されていることが好ましい。この場合には、例えば、賞味期限の残り日数又は賞味期限の到来を液晶画面やＬＥＤライトなどで表示することができ情報をより見やすくでき、ボタン押下などの簡単な操作で賞味期限の設定を行うことができる。
【考案の効果】
【００１２】
以上述べたように、この考案によれば、複雑なシステムや煩雑な入力操作を要することなく、小型で使いやすく、低コスト化に適した構造であり、各食品の食品情報や賞味期限に関する情報を簡単な方法で、且つ明確に消費者に報知することができる。
【図面の簡単な説明】
【００１３】
【図１】本考案の実施形態に係る賞味期限管理器具の外観を示す斜視図である。
【図２】実施形態に係る賞味期限管理器具の側面図である。
【図３】実施形態に係る賞味期限管理器具を上面側から見た斜視図である。
【図４】実施形態に係る賞味期限管理器具の使用状態を示す説明図である。
【図５】実施形態に係る賞味期限管理器具の使用状態を示す説明図である。
【図６】実施形態に係る賞味期限管理器具の制御部の構成を示す機能ブロック図である。
【図７】実施形態に係る賞味期限管理器具の使用手順を示すブロック図である。
【考案を実施するための形態】
【００１４】
（賞味期限管理器具１の構成）
以下に添付図面を参照して、本考案に係るシステムの実施形態を詳細に説明する。図１は本考案の実施形態に係る賞味期限管理器具１の外観を示す斜視図であり、図２はその側面図である。図３は本実施形態に係る賞味期限管理器具１を上面側から見た斜視図であり、図４はその使用状態を示す説明図である。
【００１５】
図１乃至４に示すように、本実施形態に係る賞味期限管理器具１は、食品の賞味期限を管理する装置であり、本実施形態では、クリップ式の形態をなしている。詳述すると、賞味期限管理器具１は、管理対象となる食品又はその包装を把持するクリップ部２及び本体３と、クリップ部２及び本体３によって保持され、食品の賞味期限までの日数又は賞味期限の到来を報知する報知手段６とを備えている。
【００１６】
クリップ部２は、本体３とともに把持手段を構成する部材であり、本実施形態では、少なくとも外側表面が金属やソフトマグネット等の磁性体で形成された部材である。このクリップ部２は、図２に示すように回動部３２を介して、本体３に対して回動可能に設けられた、先端が湾曲して把持するように構成されている。このクリップ部２の裏面（回動部３２側）にはバネ５の一端が係合部２１を介して連結されており、バネ５はその他端を本体３の側面に形成された係合部３１を介して連結されており、バネ５の弾性力によってクリップ部２の先端が本体３の側面に押圧されるようになっている。
【００１７】
このクリップ部２の先端が本体３の側面に押圧されることによって、クリップ部２の先端で管理対象を把持できるようになっており、図４に示すように、バネ５の弾性力に逆らってクリップ部２の後端を指でつまむと、先端が開いて管理対象を挟み込めるようになり、指を離すと対象物が把持される。
【００１８】
本体３は、本実施形態では、矩形状の箱体であり、内部に電池と、電池により駆動する電子回路等が収納されている。また、この本体３のクリップ部２と反対の側面にはマグネット４が取付けられている。このマグネット４により、賞味期限管理器具１を鉄などの磁性体部材に吸着させることができ、冷蔵庫の内部の金属部分や、金属製の容器或いは蓋に固定することができる。また、本実施形態では、クリップ部２の外表面が磁石に吸着する磁性材料からなる磁性部を有しているため、マグネット４と他の賞味期限管理器具１のクリップ部２とを吸着させることにより、図５に示すように、賞味期限管理器具同士１，１を相互に連結することができる。
【００１９】
報知手段６は、賞味期限までの日数を報知する部品であり、ＬＥＤライト６２ａやランプ等の発光体を点灯・点滅させたり、液晶パネル６２ｂにメッセージを表示させたり、スピーカーからブザーや音声などの音響を出力することにより賞味期限までの日数や賞味期限の到来を報知する。なお、賞味期限までの日数の報知としては、賞味期限までの残り日数単位或いは１週間単位で発光体の光色を変化させたり、点滅の早さを変化させたり等、報知の手法を多様化させてもよい。また、賞味期限を経過した場合には、その旨を示す光色に変化させたり、メッセージや経過日数を表示させる。
【００２０】
本実施形態において、具体的に報知手段６は、本実施形態では、図６に示すように、賞味期限を入力する入力インターフェース６１と、入力インターフェース６１を介して入力された期限と現在時刻の差分を表示する出力部６２と、メモリ６４と、電池６５と、これらの動作を制御する制御部６３とを有する。
【００２１】
入力インターフェース６１はボタンスイッチであり、押下したり、長押ししたりすることにより、賞味期限の年月日を入力する操作手段であり、ボタンやタッチパネルとすることができる。一方、出力部６２は、賞味期限の残り日数を数字や記号等で光や音、メッセージで出力する装置であり、例えば、ＬＥＤライト６２ａや液晶パネル６２ｂ、スピーカーその他の出力デバイスが含まれる。この出力部６２の液晶パネル６２ｂは、入力インターフェース６１と重畳させたタッチパネルなどにしてもよい。また、残り日数や賞味期限到来のサインとしてはＬＥＤライト６２ａなどで簡易的に表示するようにしてもよい。
【００２２】
なお、この出力部６２としては、ＷｉｆｉやＢｌｕｅｔｏｏｔｈ（登録商標）などの無線通信を通じて、情報を通信信号として報知するデバイスであってもよい。この場合には、この通信信号を受信して出力するデバイスを設置する。この受信デバイスとしては、Ｗｉｆｉルーターやスマートフォン、パーソナルコンピュータ、その他のＩＯＴ（Internet of Things：モノのインターネット）に対応したデバイスを用いることができる。
【００２３】
メモリ６４は、例えば、不揮発性の記憶装置であり、入力インターフェース６１により入力された賞味期限（年月日）を記憶する。電池６５は、乾電池や充電式電池、その他のバッテリー等の電力供給源である。制御部６３は、制御部６３は、入力インターフェース６１を介して入力された期限と現在時刻の差分を演算して、賞味期限までの日数や時間を報知手段６に報知させる演算処理装置であり、ＣＰＵ等の装置で構成される。
【００２４】
これら報知手段６は、本実施形態では、本体３の上面、すなわち、本体３によって管理対象を把持する位置と、反対の位置となるように配置されている。
【００２５】
（作用・効果）
以上の構成を有する賞味期限管理器具１では、以下のように用いられる。先ず、クリップ部２と本体３とによって管理対象７である食品又はその包装を把持させて、管理対象に付着させる。そして、制御部６３により、図７に示すような賞味期限の管理及びその報知を実行する。
【００２６】
次いで、ユーザーが操作により賞味期限を入力する（Ｓ１０１）。具体的には、入力インターフェース６１のボタンスイッチなどを押下したり、長押ししたりすることにより、賞味期限の年月日を入力する。或いは、出力部６２と重畳されたタッチパネルをタッチ操作するようにしてもよい。ここで、入力された賞味期限に関する情報は、メモリ６４に記憶される。
【００２７】
このように、賞味期限の設定が終了した後、次いで、賞味期限のカウントダウンを開始する（Ｓ１０２）。このカウントダウン開始は、スタートボタンの押下などの操作の他、賞味期限の設定終了をのそままカウントダウン開始のトリガーとしてもよい。
【００２８】
ループ処理により賞味期限の到来まで待機状態を継続させ（Ｓ１０３における「Ｎ」）、その間、制御部６３は、入力インターフェース６１を介して入力された期限と現在時刻の差分を演算する。ここでは、この賞味期限の到来として、「賞味期限まで残り１週間」や「残り３日」など、残り日数を１日単位や、１週間単位、その他の周期で段階的に報知するようにしており、制御部６３は、各段階の期限（残り１週間或いは３日など）を算出して各期限の到来を監視する。
【００２９】
そして、賞味期限が到来すると（Ｓ１０３における「Ｙ」）、報知手段６が、賞味期限までの日数を、ＬＥＤライト６２ａやランプ等の発光体を点灯・点滅させたり、液晶パネルにメッセージを表示させたり、ブザーや音声などの音響により賞味期限の到来を報知する（Ｓ１０４）。なお、賞味期限までの日数の報知としては、賞味期限までの残り日数単位或いは１週間単位で発光体の光色を変化させたり、点滅の早さを変化させたり等、報知の手法を多様化させることができる。
【００３０】
次いで、報知を終了するか否かを判断し（Ｓ１０５）、ユーザーが食品を消費するなど、クリップ部２を外して、入力インターフェース６１を操作するなどした場合（Ｓ１０５における「Ｎ」）に、カウントダウンを終了する。ここでは、この賞味期限の到来を段階的に報知するようにしていることから、次の段階の賞味期限到来を算出して（日にちが変わる際の残り日数の減算など）、継続して次の期限の到来を監視する（Ｓ１０５における「Ｙ」）。
【００３１】
このような本実施形態に係る賞味期限管理器具１によれば、本体３には賞味期限までの日数を報知する報知手段６が保持されているため、付着された管理対象に関する賞味期限までの日数を報知することができ、管理対象７の賞味期限を明確に報知することができる。把持部で、管理対象７の包装の開口部７１などに固定することにより、開封済みの包装の開口部７１を閉止することができ、開口部７１から内容物が漏れたり、内容物が劣化するのを低減できる。
【００３２】
特に、本実施形態では、本体３の側面にマグネット４をさらに有するため、賞味期限管理器具１を冷蔵庫内部の金属部分や、金属製の容器或いは蓋に固定することができ、賞味期限の管理のみならず食品の整理も容易に行うことができる。また、本実施形態では、本体３の外表面に磁性部を有するため、マグネット４と本体３の磁性部とを吸着させて、賞味期限管理器具１，１同士を相互に連結することができ、冷蔵庫内の開封済み食品などをまとめられるなど、整理がより容易となる。このとき、出力部６２は、把持部によって管理対象７を把持する位置と、反対の位置となるように配置されていることから、管理対象を把持させた状態で他の賞味期限管理器具１と相互に連結させた場合でも、出力部６２が上面側に位置され、見やすい。
【００３３】
以上述べたように、本実施形態によれば、複雑なシステムや煩雑な入力操作を要することなく、小型で使いやすく、低コスト化に適した構造であり、各食品の食品情報や賞味期限に関する情報を簡単な方法で、且つ明確に消費者に報知することができる。
【符号の説明】
【００３４】
１…賞味期限管理器具
２…クリップ部
３…本体
４…マグネット
５…バネ
６…報知手段
７…管理対象
２１…係合部
３１…係合部
３２…回動部
６１…入力インターフェース
６２…出力部
６２ａ…ＬＥＤライト
６２ｂ…液晶パネル
６５…制御部
６４…メモリ
６５…電池
７１…開口部
【図１】
0003206391.tif 000003
【図２】
0003206391.tif 000004
【図３】
0003206391.tif 000005
【図４】
0003206391.tif 000006
【図５】
0003206391.tif 000007
【図６】
0003206391.tif 000008
【図７】
0003206391.tif 000009